(57)【要約】【課題】大型鏡筒を具えたデジタルカメラの小型化及び操作性の向上。【解決する手段】撮像素子を含む撮像回路を構成する第１回路基板３を鏡筒２の後方に配備し、凸部高さの大きい電子部品を具えた第２回路基板４を鏡筒２の長手方向に沿って配備し、鏡筒２の周面に沿って配備したフレキシブルプリント基板５を第１、第２回路基板３、４に接続している。フレキシブルプリント基板５は嵩張らず、鏡筒２の周面に沿う様に配備されるため、キャビネット１を大型化する必要はなく、デジタルカメラの小型化に寄与でききる。キャビネット１の、鏡筒２の長手方向に沿う外側面に持ち手部８を設け、第２回路基板４を鏡筒２の下方に配備することにより、持ち手部８と鏡筒２の軸心との距離を短くできるので、撮像装置を軽く感じて安定して支持でき、手ぶれ防止に効果的である。【選択図】  図２
2004361595.tif 000002
【特許請求の範囲】
【請求項１】
機器キャビネット内に、鏡筒、撮像素子、配線基板を内蔵した電子撮像機器において、撮像素子を含む撮像回路を具えた第１回路基板（３）を鏡筒（２）の後方に配備し、第２回路基板（４）を鏡筒（２）の長手方向に沿って配備し、鏡筒（２）の周面に沿って配備したフレキシブルプリント基板（５）を前記第１、第２回路基板（３）（４）に接続している電子撮像機器。
【請求項２】
キャビネット（１）には鏡筒（２）の長手方向に沿う外側面に持ち手部（８）が設けられ、第２回路基板（４）は、鏡筒（２）の下方又は上方に配備されている請求項１に記載の電子撮像機器。
【請求項３】
フレキシブルプリント基板（５）は、鏡筒（２）上で折り重なる様に設けられている請求項１又は２に記載の電子撮像機器。
【請求項４】
第１回路基板（３）、第２回路基板（４）の少なくとも一方の回路基板は、フレキシブルプリント基板（５）の一部に補強板を取り付けて形成されている請求項１乃至３の何れかに記載の電子撮像機器。
【発明の詳細な説明】
【０００１】
【発明の属する分野】
本発明は、鏡筒がキャビネット内に収容された電子撮像機器において、フレキシブルプリント基板を鏡筒の回りに配備した電子撮像機器に関するものである。
【０００２】
【従来の技術及び発明が解決しようとする課題】
図１１は、大型の鏡筒（２）を具えた従来のデジタルカメラの一例を示している（特許文献１）。
横長の機器キャビネット（１）の前面左側から前方に鏡筒（２）が突出し、キャビネット（１）の右端側が持ち手部（８）となっている。
キャビネット（１）内に、夫々横長に形成された垂直第１回路基板（３）と水平第２回路基板（４）を鏡筒（２）と直交して配備し、第１回路基板（３）上に、撮像素子（図示せず）、該撮像素子の隣りにメモリーカードスロット（図示せず）を具えている。
【０００３】
上記カメラは、鏡筒（２）とキャビネット（１）がＬ字状を成す外観であり、嵩張る。
又、重量の嵩む鏡筒（２）の軸心から持ち手部（８）までの距離Ｌ１が長いため、撮影のために、持ち手部（８）を握ってカメラを片手で支持する際、カメラが重く感じられ、又、カメラを安定して支持し難く、手ぶれを起こし易い。
キャビネット（１）が左右に長くなるのは、撮像素子や、メモリーカードスロットの他にも多数の電子部品を搭載する必要があるために、第１、第２回路基板（３）（４）の面積を大きく必要があることによる。回路基板を左右を長くしなければ、前後に長くせざるを得ず、当然にカメラも前後に長くなり、カメラの安定支持及び小型化のための問題解決にはならない。
【０００４】
本発明は、回路基板の一部にフレキシブルプリント基板を用いることにより上記問題を解決できるデジタルカメラ等の電子撮像機器を明らかにするものである。
【０００５】
【特許文献１】
特開平２００１−３３３３１３
【０００６】
【課題を解決する手段】
本発明は、機器キャビネット内に、鏡筒、撮像素子、配線基板を内蔵した電子撮像機器において、撮像素子を含む撮像回路を有する第１回路基板（３）を鏡筒（２）の後方に配備し、第２回路基板（４）を鏡筒（２）の長手方向に沿って配備し、鏡筒（２）の周面に沿って配備したフレキシブルプリント基板（５）を前記第１、第２回路基板（３）（４）に接続している。
【０００７】
【作用及び効果】
撮像機器の回路を構成する、第１、第２回路基板（３）（４）には、それら回路基板に搭載しなけばならない、或いはそれら回路基板に搭載する方が望ましい電子部品や部品を配備し、他の電子部品や部品は、フレキシブルプリント基板（５）に設けることにより、第１、第２回路基板（３）（４）を可及的に小さくできる。
従って、図１１に示す従来例の様に、鏡筒（２）の軸心に直交する方向にキャビネット（１）を延ばす必要はなく、撮像機器の嵩張りを抑えることができる。
【０００８】
フレキシブルプリント基板（５）は嵩張らない上、鏡筒（２）とキャビネット（１）との間にて、鏡筒（２）の周面に沿う様に配備されるため、キャビネット（１）を大型化する必要はなく、結果的に撮像装置の小型化に寄与できる。
従って、撮像装置全体の大きさに比して、大きな鏡筒（２）を配備できるため、光学ズーム比が大きく、鮮明な画象を得ることができる。
【０００９】
キャビネット（１）の、鏡筒（２）の長手方向に沿う外側面に持ち手部（８）を設け、第２回路基板（４）を鏡筒（２）の下方或いは上方に配備することにより、該持ち手部（８）と鏡筒（２）の軸心との距離を短くできるので、撮像装置が軽く感じられ、且つ安定して支持でき、手ぶれ防止に効果的である。
【００１０】
第１回路基板（３）と第２回路基板（４）を、フレキシブルプリント基板（５）を介して接続できるため、第１回路基板（３）と第２回路基板（４）を直接コネクターで接続する場合の様に、外力によってストレスを受けてコネクターの半田付け部分が外れる問題は生じない。
【００１１】
【発明の実施の形態】
図１は、撮像機器、具体的には前後に長いデジタルカメラを片手で支持した状態を示している。
デジタルカメラは、キャビネット（１）内にて、前後に長い大型の鏡筒（２）、該鏡筒（２）の後方に硬質の第１回路基板（３）、該第１回路基板（３）の後方にモニター（７）、鏡筒（２）の下方に硬質の第２回路基板（４）を配備して構成される。
【００１２】
キャビネット（１）は、鏡筒（２）の軸心を含む面で左右に２分割可能である。
キャビネット（１）の右側の外側面に、持ち手部（８）が設けられている。
持ち手部（８）は、デジタルカメラの前後方向の重心位置に手が掛かる様に位置にある。
実施例の持ち手部（８）は、ベルト（８１）の両端をキャビネット（１）に接合して形成される。ベルト（８１）は、キャビネット（１）の前後方向に且つ、前端が後端より少し低くなる様位置し、ベルトの両端間は、右手の第２指から第５指の４本の指が嵌まる余裕がある。
【００１３】
図２は、デジタルカメラの内部の概略図である。
鏡筒（２）は、周面に突設した複数の鏡筒固定用ボス（２２）（２２）に、シャーシ（図示せず）又はキャビネット（１）の外側からビスを締め付けて固定される。
鏡筒固定用ボス（２２）は、鏡筒（２）の左右に、夫々前後に２箇所、計４箇所に突設されている。
鏡筒（２）の下面には、前後２箇所に回路基板取付け用ボス（２１）が突設され、該ボス（２１）に第２回路基板（４）が取り付けられる。
【００１４】
第１回路基板（３）は、鏡筒（２）、シャーシ或いはキャビネット（１）に固定される。
第１回路基板（３）は、撮像素子を含む撮像回路、メモリーカードスロット、電子部品（何れも図示せず）及びコネクター（３３）を具えている。
鏡筒（２）の真後ろに配備されている第１回路基板（３）に、撮像素子を含む撮像回路を設けるのは必須である。第１回路基板（３）にメモリーカードスロットを配備したのは、該スロットをキャビネット（１）の側面に開口させて、メモリーカードの出し入れを容易にするためである。
設計によっては、後記する第２回路基板（４）にメモリーカードスロットを配備することも可能である。
コネクター（３３）は、後記するフレキシブルプリント基板（５）のコネクター（５３）と接続するためのものである。
【００１５】
第２回路基板（４）は、鏡筒（２）と同じ程度の長さで前後に長い。
第２回路基板（４）には、該基板からの突出高さの大きい電子部品（図示せず）、ストロボユニット（３０）及び２つのコネクター（３２）（３３）が配備されている。
ストロボユニット（３０）は、第２回路基板（４）の前端に配備されている。
２つのコネクター（３２）（３３）は、後記するフレキシブルプリント基板（５）のコネクター（５４）（５４）に接続するためのもので、第２回路基板（４）の前後方向に向いて、前後に並んで配備されている。
【００１６】
鏡筒（２）の周面に、フレキシブルプリント基板（５）が、該周面に沿う様に配備され、該フレキシブルプリント基板（５）と、第１回路基板（３）、第２回路基板（４）及びモニター（７）が接続される。
【００１７】
フレキシブルプリント基板（５）は、デジタルカメラの回路構成に必要な電子部品の内、彎曲する板の上に配備しても支障のない電子部品で、該板からの突出高さの小さい電子部品が配備されている。
図２、図３に示す如く、フレキシブルプリント基板（５）は２つ折りされて、鏡筒（２）の周面を３／４周以上する範囲で、２重に重なって配置されている。
【００１８】
図４は、フレキシブルプリント基板（５）の展開図であり、長方形のシート体（５０）の長手方向の両端に、２つの腕片（５２）（５２）を外向きに延長し、シート体（５０）の長手方向に沿う両側縁の内、一方の側縁の端部側に２つの腕片（５１）（５６）を該側縁と直交して外向きに延長している。
シート体（５０）の幅長さは、鏡筒（２）の全長より少し短く、シート体（５０）の長さは、鏡筒（２）の周面長さの約１．５倍である。
シート体（５０）には、前記鏡筒（２）上の鏡体固定用ボス（２２）との対応位置に８つの逃がし孔（５５）が開設されている。
フレキシブルプリント基板（５）の各腕片（５１）（５２）（５２）（５６）の先端にはコネクター（５３）（５４）（５４）（５７）が設けられている。
フレキシブルプリント基板（５）は、その長手方向が鏡筒（２）の軸心に直交し、側縁上の２つの腕片（５１）（５６）が後方に向く様に、鏡筒（２）上にセットされる。
【００１９】
然して、鏡筒（２）をキャビネット（１）内に固定する前に、図２、図３に示す如く、フレキシブルプリント基板（５）を長さ方向の略中央部で曲げ、両端のコネクター（５４）（５４）を、第２回路基板（４）上のコネクター（３２）（３２）に接続する。
フレキシブルプリント基板（５）の逃がし孔（５５）（５５）の重なり部を鏡筒（２）上のボス（２２）（２２）に嵌める。
鏡筒（２）をシャーシ又はキャビネット半体に固定する。
フレキシブルプリント基板（５）の後方に延びる腕片（５１）（５６）の内、一方の腕片（５１）のコネクター（５３）を、第１回路基板（３）上のコネクター（３３）に接続し、他方の腕片（５６）のコネクター（５７）をモニター（７）上のコネクダー（図示せず）に接続する。
鏡筒（２）を取り付けたキャビネット半体に、他方のキャビネット半体を被せる。
【００２０】
上記の如く、デジタルカメラの回路を構成する第１、第２回路基板（３）（４）には、それら回路基板に搭載しなけばならない、あるいはそれら回路基板に搭載した方が望ましい電子部品や部品を配備し、他の電子部品や部品は、フレキシブルプリント基板（５）に設けることにより、第１、第２回路基板（３）（４）を可及的に小さくできる。
従って、図１１に示す従来例の様に、鏡筒（２）の軸心に直交する方向にキャビネット（１）を延ばす必要はなく、デジタルカメラの嵩張りを抑えることができる。
【００２１】
フレキシブルプリント基板（５）は嵩張らず、鏡筒（２）の周面に沿う様に配備されるため、鏡筒（２）上の鏡体固定用ボス（２２）の突出範囲で鏡筒（２）とキャビネット（１）との間にフレキシブルプリント基板（５）を収容できる。このため、キャビネット（１）を大型化する必要はなく、結果的にデジタルムカメラの小型化に寄与でききる。
従って、デジタルカメラ全体の大きさに比して、大きな鏡筒（２）を搭載して、光学ズーム比が大きく、鮮明な画象を得ることができる。
【００２２】
図３に示す如く、キャビネット（１）の、鏡筒（２）の長手方向に沿う外側面に持ち手部（８）を設け、第２回路基板（４）を鏡筒（２）の下方に配備したため、該持ち手部（８）と鏡筒（２）の軸心との距離Ｌ２を短くできる。このため、デジタルカメラが軽く感じられ、且つ安定して支持でき、手ぶれ防止に効果的である。
【００２３】
第１回路基板（３）と第２回路基板（４）を、フレキシブルプリント基板（５）を介して接続したため、第１回路基板（３）と第２回路基板（４）を直接コネクターで接続する場合の様に、外力によってストレスを受けてコネクターの半田付け部分が外れる問題は生じない。
【００２４】
第２回路基板（４）の先端、即ち、鏡筒（２）の前端に接近してストロボユニット（３０）を配備したため、ストロボユニット（３０）の発光がデジタルカメラの構成部品に部分的に遮られること、所謂「蹴られ」の影響を受け難い。
【００２５】
デジタルカメラは、キャビネット（１）の底面を平らにして、テーブルに安定して置けることが要求されるが、実施例の様に、鏡筒（２）の下方に、第２回路基板（４）を配置することは、キャビネット底面を平らにすることに、無駄な空間を作らず、理にかなっている。
【００２６】
図５、図６は、フレキシブルプリント基板（５）の一部を補強板（４１）（３１）によって補強して、硬質の第１回路基板（３）、第２回路基板（４）を構成した他の実施例を示している。
図５（ａ）は、鏡筒（２）のボス（２１）に固定した補強板（４１）を、フレキシブルプリント基板（５）の一端（５ａ）でその両面を包む様に装着して補強板（４１）と一体化し、鏡筒（２）を３／４周して反転したフレキシブルプリント基板（５）の他端（５ｂ）を、鏡筒（２）の周面に接合（５７）している。
【００２７】
図５（ｂ）は、鏡筒（２）のボス（２１）に固定した補強板（４１）を、フレキシブルプリント基板（５）の一端（５ａ）でその両面を包む様に装着して補強板（４１）と一体化し、鏡筒（２）を３／４周して反転したフレキシブルプリント基板（５）の他端（５ｂ）を、補強板（４１）に被さったフレキシブルプリント基板（５）の端部（５ａ）にコネクター接続（５８）している。
【００２８】
図５（ｃ）は、鏡筒（２）のボス（２１）に固定した補強板（４１）の下面を、フレキシブルプリント基板（５）の一端（５ａ）で覆って一体化し、鏡筒（２）を３／４周して反転したフレキシブルプリント基板（５）の他端（５ｂ）で補強板（４１）の上面を覆い、フレキシブルプリント基板（５）の両端（５ａ）（５ｂ）を熱圧着（５９）した状態を示している。
【００２９】
図６は、前記フレキシブルプリント基板（５）の第１回路基板（３）に向かう腕片（５１）を延長して該延長部（５１ａ）によって補強板（３１）の両面を包む様に覆って一体化し、第１回路基板（３）を構成している。
【００３０】
図７、図８は、フレキシブルプリント基板（５）上に、操作ボタン（６）を設けた実施例である。
フレキシブルプリント基板（５）には、略Ｕ字状に切込み（５６）を施して、切込み内のシート片（５ｃ）の自由端の表面に操作ボタン（６）を設け、該自由端の裏面に補強板（６１）を装着する。
補強板（６１）には、シート片（５ｃ）を貫通して取付け孔（６２）が開設される。
キャビネット（１）に開設した窓孔（図示せず）から、該操作ボタン（６）を臨出させ取付け孔（６２）を利用して操作ボタン（６）をキャビネット（１）に固定する。
【００３１】
図９、図１０は、フレキシブルプリント基板（５）の、鏡筒（２）の軸心に直交する側縁に帯状の延長部（５ｄ）を設け、該延長部をフレキシブルプリント基板（５）に被さる様に反転させた状態にて、延長部（５ｄ）の自由端の表面に操作ボタン（６）（６）を配備し、裏面に補強板（６１）を装着している。
補強板（６１）には、シート片（５ｄ）を貫通して取付け孔（６２）（６２）が開設される。
キャビネット（１）に開設した窓孔（図示せず）から、該操作ボタン（６）を臨出させ、取付け孔（６２）を利用して操作ボタン（６）をキャビネット（１）に固定する。
上記の如く、フレキシブルプリント基板（５）上に操作ボタン（６）を配置することにも、容易に実施できる。
【００３２】
図４に示すフレキシブルプリント基板（５）は、矩形のシート体（５０）に腕片（５１）（５２）（５２）（５６）を一体に形成しているため、歩留まりが悪くなる。
そこで、腕片（５１）（５２）（５２）（５６）をシート体（５０）とは別個のフレキシブルプリント基板或いはフレキシブルフラットケーブル（ＦＦＣ）にて形成し、シート体（５０）とコネクター接続すれば、フレキシブルプリント基板（５）を形成するための歩留まりを良くすることができる。
【００３３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３４】
例えば、フレキシブルプリント基板（５）の長さに応じて、鏡筒（２）を包囲する範囲を広くしたり、狭くしたり、一重或いは３重以上に重ねて鏡筒（２）に被せることができる。
第２回路基板（４）を鏡筒（２）の上方に配備することもできる。
デジタルカメラに動画機能の回路を付与することもできる。
尚、本発明は、デジタルカメラに限らず、ビデオカメラ等、電子撮像装置の種類を問わず実施可能である。
【図面の簡単な説明】
【図１】撮像機器を片手で支持した状態の側面図である。
【図２】フレキシブルプリント基板の取り付け状態の斜面図である。
【図３】フレキシブルプリント基板を鏡筒に被せた状態の断面図である。
【図４】フレキシブルプリント基板の展開図である。
【図５】フレキシブルプリント基板を部分的に補強して第２回路基板を構成する他の実施例の説明図である。
【図６】フレキシブルプリント基板を部分的に補強して第１回路基板を構成する他の実施例の説明図である。
【図７】フレキシブルプリント基板に操作ボタンを取り付けた状態の斜面図である。
【図８】同上の断面図である。
【図９】フレキシブルプリント基板に操作ボタンを取り付けた状態の他の実施例の斜面図である。
【図１０】同上の断面図である。
【図１１】従来例の斜面図である。
【符号の説明】
（１）    キャビネット
（２）    鏡筒
（４）    第１回路基板
（３）    第２回路基板
（５）    フレキシブルプリント基板
（８）    持ち手部
【図１】
2004361595.tif 000003
【図２】
2004361595.tif 000004
【図３】
2004361595.tif 000005
【図４】
2004361595.tif 000006
【図５】
2004361595.tif 000007
【図６】
2004361595.tif 000008
【図７】
2004361595.tif 000009
【図８】
2004361595.tif 000010
【図９】
2004361595.tif 000011
【図１０】
2004361595.tif 000012
【図１１】
2004361595.tif 000013